(57)【要約】【課題】浮上油の回収効率を高められる浮上油回収装置を提供する。【解決手段】液面ＬＳに浮かぶフロート部１３と、フロート部１３に支持される吸引管部１２と、吸引管部１２に接続されて液面ＬＳに配置されるノズル部１４と、吸引管部１２と繋がり、吸引管部１２を通してノズル部１４から液面ＬＳの浮上油Ｆを吸引する吸引源と、を備え、ノズル部１４は、吸引管部１２から水平方向に離れるにしたがい下側へ向けて傾斜して延び、液面ＬＳに挿入される底壁４５を有する。【選択図】図３
2020032348.tif 000002
【特許請求の範囲】
【請求項１】
液面に浮かぶフロート部と、
前記フロート部に支持される吸引管部と、
前記吸引管部に接続されて前記液面に配置されるノズル部と、
前記吸引管部と繋がり、前記吸引管部を通して前記ノズル部から前記液面の浮上油を吸引する吸引源と、を備え、
前記ノズル部は、前記吸引管部から水平方向に離れるにしたがい下側へ向けて傾斜して延び、前記液面に挿入される底壁を有する、浮上油回収装置。
【請求項２】
請求項１に記載の浮上油回収装置であって、
前記ノズル部は、前記底壁を複数有し、
複数の前記底壁同士は、前記吸引管部から水平方向に離れる向きに互いに隙間をあけて隣り合って配置される、浮上油回収装置。
【請求項３】
請求項１または２に記載の浮上油回収装置であって、
前記底壁は、前記液面に対して前記底壁が傾斜する方向に移動可能に前記ノズル部に支持される、浮上油回収装置。
【請求項４】
請求項１〜３のいずれか一項に記載の浮上油回収装置であって、
前記底壁は、前記底壁の上面に液体戻し溝を有する、浮上油回収装置。
【請求項５】
請求項１に記載の浮上油回収装置であって、
前記吸引管部は上下方向に延び、
前記底壁は、前記吸引管部の軸線回りに広がる円錐形状である、浮上油回収装置。
【請求項６】
請求項５に記載の浮上油回収装置であって、
前記底壁は、前記軸線回りの周方向に延びる油保持溝を複数有し、
複数の前記油保持溝は、前記軸線に直交する径方向に配列する、浮上油回収装置。
【請求項７】
請求項５または６に記載の浮上油回収装置であって、
前記底壁は、前記軸線に直交する径方向に延びる液体戻し溝を有する、浮上油回収装置。
【請求項８】
請求項１〜７のいずれか一項に記載の浮上油回収装置であって、
前記フロート部は、
前記液面に浮かぶフロート本体と、
前記フロート本体を支持し、前記吸引管部の上下方向に延びる部分に、上下方向の位置が調整可能とされて固定されるフロート支持部と、を有する、浮上油回収装置。
【発明の詳細な説明】
【技術分野】
【０００１】
本発明は、浮上油回収装置に関する。
【背景技術】
【０００２】
従来、例えば特許文献１の浮上油吸引装置が知られる。この浮上油吸引装置は、液体と油が混合した混合液の浮上油を吸引する。浮上油吸引装置は、混合液との比重差によってまたはフロートによって混合液の表面近傍に浮上する筒状の吸引ノズルを備える。
吸引ノズルは、上面開口部と、側面開口部と、を有する。上面開口部は、吸引ノズルの上面に配置され、混合液の表面の泡を吸う。側面開口部は、吸引ノズルの側面に配置され、浮上油を吸う。吸引ノズルから吸われた泡および浮上油は、吸引ノズルの内側のパイプを経由して回収ポンプに吸引される。
【先行技術文献】
【特許文献】
【０００３】
【特許文献１】特開２０１５−５４３０１号公報
【発明の概要】
【発明が解決しようとする課題】
【０００４】
従来の浮上油回収装置では、浮上油とともに水等の液体が多く吸い込まれる。このため、水等の液体の回収量（割合）を減らして、浮上油の回収効率を高める点に改善の余地があった。
【０００５】
本発明は、上記事情に鑑み、浮上油の回収効率を高められる浮上油回収装置を提供することを目的の一つとする。
【課題を解決するための手段】
【０００６】
本発明の浮上油回収装置の一つの態様は、液面に浮かぶフロート部と、前記フロート部に支持される吸引管部と、前記吸引管部に接続されて前記液面に配置されるノズル部と、前記吸引管部と繋がり、前記吸引管部を通して前記ノズル部から前記液面の浮上油を吸引する吸引源と、を備え、前記ノズル部は、前記吸引管部から水平方向に離れるにしたがい下側へ向けて傾斜して延び、前記液面に挿入される底壁を有する。
【０００７】
本発明の一つの態様によれば、ノズル部の底壁が、吸引管部から水平方向に離れるにしたがい下側へ向けて傾斜して延び、液面に対して斜めに挿入される。このため、底壁に乗り上げた浮上油および水等の液体を、底壁の傾斜に沿って斜め上側へ向けて吸引するときに、底壁上の水等の液体については、底壁の傾斜によって液面に戻されやすくなる。また、底壁上の浮上油については、底壁の傾斜に沿って斜め上側へ引き上げやすくなる。これにより、水等の液体の回収量（割合）を減らして、浮上油の回収効率を高めることができる。
【０００８】
上記浮上油回収装置において、前記ノズル部は、前記底壁を複数有し、複数の前記底壁同士は、前記吸引管部から水平方向に離れる向きに互いに隙間をあけて隣り合って配置されることが好ましい。
【０００９】
この場合、ノズル部が複数の底壁を有するので、底壁上において浮上油と液体との分離をより促して、浮上油の回収効率を向上させることができる。すなわち、浮上油および液体が、複数の底壁を乗り越えつつ吸引管部へ向けて吸引されるときに、複数の底壁同士の間において、液体が液面に戻される。つまり、浮上油は、複数の底壁を乗り越えて吸引管部に吸引されるが、液体は、複数の底壁を乗り越える際に、底壁同士の間において液面に戻されやすくなる。したがって、浮上油の回収効率がより高められる。
【００１０】
上記浮上油回収装置において、前記底壁は、前記液面に対して前記底壁が傾斜する方向に移動可能に前記ノズル部に支持されることが好ましい。
【００１１】
この場合、例えば液面に浮かぶ浮上油の状態や量などに応じて、底壁を、底壁が傾斜する方向に移動させることにより、液面に対する底壁の（上下方向の）位置を調整できる。これにより、浮上油の回収効率を向上させることができる。
【００１２】
上記浮上油回収装置において、前記底壁は、前記底壁の上面に液体戻し溝を有することが好ましい。
【００１３】
この場合、底壁上に乗り上げた浮上油および液体のうち、液体が液体戻し溝に流れ込み、液体戻し溝を通して液面に戻される。したがって、浮上油の回収効率をより高められる。
【００１４】
上記浮上油回収装置において、前記吸引管部は上下方向に延び、前記底壁は、前記吸引管部の軸線回りに広がる円錐形状であることが好ましい。
【００１５】
この場合、ノズル部は、水平方向の全方位から（吸引管部の軸線回りの全周にわたって）浮上油を回収する。したがって、浮上油の回収効率が安定して高められる。
【００１６】
上記浮上油回収装置において、前記底壁は、前記軸線回りの周方向に延びる油保持溝を複数有し、複数の前記油保持溝は、前記軸線に直交する径方向に配列することが好ましい。
【００１７】
この場合、底壁上に乗り上げた浮上油が、複数の油保持溝に保持されて、底壁上にとどまりやすくなる。また、油保持溝の溝底には、浮上油よりも比重の大きい水等の液体が溜まる。この液体については、油保持溝の周方向の端部等を通して液面に戻すことができる。したがって、浮上油の回収効率がより向上する。
【００１８】
上記浮上油回収装置において、前記底壁は、前記軸線に直交する径方向に延びる液体戻し溝を有することが好ましい。
【００１９】
この場合、底壁上に乗り上げた浮上油および液体のうち、液体が液体戻し溝に流れ込み、液体戻し溝を通して液面に戻される。したがって、浮上油の回収効率をより高めることができる。
【００２０】
上記浮上油回収装置において、前記フロート部は、前記液面に浮かぶフロート本体と、前記フロート本体を支持し、前記吸引管部の上下方向に延びる部分に、上下方向の位置が調整可能とされて固定されるフロート支持部と、を有することが好ましい。
【００２１】
この場合、フロート部と吸引管部との上下方向の相対位置を調整でき、液面に対するノズル部の上下方向の位置を調整可能である。したがって、ノズル部の底壁の上下方向の位置を適宜設定して、ノズル部から水等の液体を吸い込みにくくするとともに浮上油を吸い込みやすくして、浮上油の回収効率を安定して向上できる。
【発明の効果】
【００２２】
本発明の一つの態様の浮上油回収装置によれば、浮上油の回収効率を高めることができる。
【図面の簡単な説明】
【００２３】
【図１】第１実施形態の浮上油回収装置を示す上面図である。
【図２】第１実施形態の浮上油回収装置を示す側面図（一部模式図を含む）である。
【図３】第１実施形態の浮上油回収装置のノズル部を示す側面図である。
【図４】図３のノズル部の第１変形例を示す側面図である。
【図５】図３のノズル部の第２変形例を示す側面図である。
【図６】図３のノズル部の第３変形例を示す側面図である。
【図７】図６のノズル部の底壁部材を示す（ａ）平面図、（ｂ）側面図、（ｃ）正面図である。
【図８】第２実施形態の浮上油回収装置のノズル部を示す側面図である。
【図９】図８のノズル部の底壁部材を示す上面図である。
【図１０】図８のノズル部の底壁部材を示す縦断面図である。
【発明を実施するための形態】
【００２４】
＜第１実施形態＞
本発明の第１実施形態の浮上油回収装置１０について、図面を参照して説明する。
図１〜図３は、第１実施形態の浮上油回収装置１０を示す図である。
【００２５】
本実施形態の浮上油回収装置１０は、例えば２ピース缶用の缶胴を製造する工場等の施設の排液（排水）Ｄの分離槽に配置される。
分離槽に溜められる排液Ｄには、マイクロバブル処理が施される。これにより、油分やゴミ等（以下、浮上油Ｆと呼ぶ）が水等の液体から分離されて、液面ＬＳに浮上する。浮上油Ｆは、液面ＬＳに浮かぶ泡状、液状または固形状等の部分を有する。
浮上油回収装置１０は、排液Ｄの液面ＬＳに浮かべられて、排液Ｄから浮上油Ｆを回収する構造を備える。
【００２６】
浮上油回収装置１０は、吸引管部１２と、チューブ１８と、フロート部１３と、ノズル部１４と、吸引源１７と、浮上油回収槽１９と、を備える。
吸引管部１２は、浮上油Ｆを吸い込むノズル部１４と接続される。吸引管部１２は、ノズル部１４と、吸引ポンプ等の吸引源１７との間に設けられる。吸引管部１２は、浮上油Ｆを吸引する吸引管の流路（管路）の一部を構成する。吸引管部１２は、吸引管（全体）のうち液面ＬＳ近傍に位置する部分である。フロート部１３は、液面ＬＳに浮かぶ。フロート部１３は、吸引管部１２およびノズル部１４を支持する。ノズル部１４は、液面ＬＳに配置される。フロート部１３は、排液Ｄの水位（液面ＬＳの上下方向の位置）が変動した場合に、この水位に応じて上下方向に移動する。フロート部１３は、排液Ｄの水位（の変動）に係わらず、ノズル部１４および吸引管部１２を液面ＬＳ近傍に配置する。
【００２７】
排液Ｄの液面ＬＳは、水平方向に広がる。本実施形態では、液面ＬＳに直交する方向を高さ方向または上下方向（Ｚ方向）と呼ぶ。高さ方向は、鉛直方向である。高さ方向の上側を単に上側（または上方）、高さ方向の下側を単に下側（または下方）と呼ぶ。
【００２８】
水平方向のうち、ノズル部１４が延びる方向を前後方向（Ｘ方向）と呼ぶ。前後方向のうち、図１の紙面右側を前側、紙面左側を後側と呼ぶ。
また、前後方向のうち、吸引管部１２から離れる方向を外側、吸引管部１２に近づく方向を内側と呼ぶ。すなわち、前後方向において、吸引管部１２からノズル部１４の先端へ向かう方向を外側と呼び、ノズル部１４の先端から吸引管部１２へ向かう方向を内側と呼ぶ。
【００２９】
高さ方向と前後方向に直交する方向を幅方向（Ｙ方向）と呼ぶ。幅方向は、水平方向のうち、前後方向と直交する方向である。幅方向のうち、図１の紙面上側を左側、紙面下側を右側と呼ぶ。
【００３０】
上述した高さ方向（上側、下側）、前後方向（前側、後側、内側、外側）および幅方向（左側、右側）は、単に各部の相対位置関係を説明するための名称であり、実際の配置関係等は、これらの名称で示される配置関係等に限定されない。
【００３１】
吸引管部１２は、液面ＬＳの上側および液面ＬＳに配置される。吸引管部１２は、分離槽の上方から液面ＬＳに向けて延びる部分（本管２１）と、液面ＬＳに沿って延びる部分（枝管２２）と、を有する。本実施形態の例では、吸引管部１２が、断面円形状の管（円管、丸パイプ）である。吸引管部１２は、例えば、耐衝撃性硬質ポリ塩化ビニル（ＨＩ−ＰＶＣ）や塩化ビニル等の合成樹脂製である。
【００３２】
吸引管部１２の上端部には、可撓性のチューブ１８が繋げられる。チューブ１８は、筒状である。チューブ１８は、直接または間接的に、吸引源１７および浮上油回収槽１９と接続される。すなわち、吸引管部１２は、チューブ１８を介して、吸引源１７および浮上油回収槽１９と繋がる。チューブ１８は軟質であり、浮上油回収装置１０の液面ＬＳ上における水平方向への移動（流動）を許容する。またチューブ１８は、液面ＬＳの水位の変動に応じた浮上油回収装置１０の上下移動を許容する。
【００３３】
吸引管部１２は、本管２１と、複数の枝管２２と、を有する。
本管２１は、吸引管部１２のうち、液面ＬＳ近傍から上側に延びる部位である。つまり本管２１は、吸引管部１２において上下方向に延びる部分である。本管２１の上端部には、チューブ１８が連結される。本管２１の下端部は、枝管２２と連結される。
本実施形態の例では、枝管２２が一対設けられる。枝管２２は、吸引管部１２のうち、液面ＬＳ近傍で本管２１から分岐して水平方向（本実施形態では幅方向）に延びる部位である。枝管２２は、液面ＬＳに配置され、液面ＬＳに沿って延びる。枝管２２は、本管２１の下端部に接続し、本管２１と連通する。一対の枝管２２は、本管２１を挟んで幅方向の両側（左側および右側）に配置される。枝管２２の先端部（幅方向の端部）には、キャップ２３が取り付けられる。キャップ２３は、枝管２２の管路の幅方向の端部を閉塞する。
【００３４】
枝管２２の外周面には、吸入孔２２ｈが開口する。吸入孔２２ｈは、枝管２２の周壁を貫通する貫通孔であり、本実施形態の例ではスリット状である。吸入孔２２ｈは、枝管２２の周壁のうち、枝管２２の中心軸Ｃよりも上側に位置する部分（上側部分）に配置されて、水平方向（本実施形態では幅方向）に延びる。吸入孔２２ｈは、枝管２２の上側部分に、前後方向に互いに間隔をあけて複数（本実施形態の例では一対）設けられる。枝管２２の中心軸Ｃおよび吸入孔２２ｈは、液面ＬＳよりも上側に位置する。
【００３５】
図３に示すように、枝管２２の中心軸Ｃに沿って見て（中心軸Ｃ方向から見て）、中心軸Ｃを通る鉛直軸ＶＡに対して吸入孔２２ｈの孔中心線ＨＬが傾斜する角度θ１は、例えば３５〜７０°である。角度θ１は、好ましくは４５〜６０°である。なお、図示の例では、１つの枝管２２に設けられる一対の吸入孔２２ｈの各角度θ１同士が、互いに同じである。ただしこれに限らず、一対の吸入孔２２ｈの各角度θ１同士は、互いに異なっていてもよい。
枝管２２には、吸入孔２２ｈを覆うようにノズル部１４が連結される。ノズル部１４は、吸入孔２２ｈを上下方向、前後方向および幅方向から囲う。
【００３６】
図１および図２に示すように、フロート部１３は、吸引管部１２の本管２１に接続されて、排液Ｄの液面ＬＳに浮かぶ。言い換えると、吸引管部１２は、フロート部１３に支持されることで、液面ＬＳに浮かぶ。
フロート部１３は、複数設けられる。本実施形態の例では、フロート部１３が４つ設けられ、それぞれ吸引管部１２に接続される。複数のフロート部１３は、本管２１を中心として、前後方向の両側（前側、後側）および幅方向の両側（左側、右側）に配置される。図１に示す浮上油回収装置１０の平面視（上面視）で、４つのフロート部１３は、本管２１回りに等間隔（９０°間隔）をあけて配置される。
【００３７】
フロート部１３は、液面ＬＳに浮かぶフロート本体３１と、フロート本体３１を支持するフロート支持部３２と、を有する。
フロート本体３１は、例えば樹脂製等であり、排液Ｄよりも比重が小さい。フロート本体３１は、例えば発砲スチロール等の発泡樹脂製である。フロート本体３１は、例えば樹脂製の外殻を有する中空構造体や、木製等であってもよい。本実施形態の例では、フロート本体３１が、樽形状またはラグビーボール形状である。本管２１の前側および後側に配置されるフロート本体３１は、幅方向に延びる。本管２１の左側および右側に配置されるフロート本体３１は、前後方向に延びる。フロート本体３１は、フロート本体３１を水平方向（フロート本体３１の長手方向）に貫通する中心孔３１ｈを有する。
【００３８】
フロート支持部３２は、フロート本体３１に連結される。フロート支持部３２は、水平方向に延びるシャフト３３を有し、シャフト３３は、フロート本体３１に通される。シャフト３３は、フロート本体３１の中心孔３１ｈに挿通されて、フロート本体３１の長手方向の両端から突出する。フロート支持部３２は、フロート本体３１と本管２１とを接続する。
【００３９】
具体的に、フロート支持部３２には、フロート支持部３２を上下方向に貫通する貫通孔が形成されており、この貫通孔に本管２１が挿入されている。本管２１には、フロート支持部３２の上記貫通孔が形成される部分の上側に配置される上ストッパー３５と、フロート支持部３２の上記貫通孔が形成される部分の下側に配置される下ストッパー３６と、が設けられる。
【００４０】
上ストッパー３５は、円形リング状であり、上ストッパー３５内には本管２１が挿入される。上ストッパー３５は、上ストッパー３５の固定ネジを締め込むことにより、本管２１と固定される。上ストッパー３５は、フロート支持部３２に対して上側から接触する。上ストッパー３５は、本管２１に対するフロート支持部３２の上方への移動を規制する。上ストッパー３５の固定ネジを緩めて本管２１への固定状態を解除することにより、フロート支持部３２は、本管２１に対して上方への移動が許容される。
【００４１】
下ストッパー３６は、円形リング状であり、下ストッパー３６内には本管２１が挿入される。下ストッパー３６は、下ストッパー３６の固定ネジを締め込むことにより、本管２１と固定される。下ストッパー３６は、フロート支持部３２に対して下側から接触する。下ストッパー３６は、本管２１に対するフロート支持部３２の下方への移動を規制する。下ストッパー３６の固定ネジを緩めて本管２１への固定状態を解除することにより、フロート支持部３２は、本管２１に対して下方への移動が許容される。
このようにフロート支持部３２は、吸引管部１２の上下方向に延びる部分（本管２１）に、上下方向の位置が調整可能とされて固定される。
【００４２】
ノズル部１４は、排液Ｄの液面ＬＳに浮かべられて、浮上油Ｆを吸い込む。ノズル部１４は、複数設けられる。ノズル部１４は、複数の枝管２２にそれぞれ設けられる。本実施形態の例では、ノズル部１４の数（２つ）が、枝管２２の数（２つ）と同じである。ノズル部１４は、一対の枝管２２に１つずつ設けられる。一対のノズル部１４は、互いに水平方向（本実施形態では幅方向）に離れて配置される。本実施形態では、ノズル部１４が、例えば、ＳＵＳ３０４等のステンレス製である。
【００４３】
図３に示すように、ノズル部１４は、枝管２２に固定される取り付け部４１と、取り付け部４１から前後方向に延びる一対の吸引ノズル４２と、を有する。
取り付け部４１は、板状である。取り付け部４１は、枝管２２の幅方向の一部を上側から覆う。取り付け部４１は、枝管２２の上側部分を前後方向に跨ぐアーチ形状であり、枝管２２の前側および後側において、一対の吸引ノズル４２を支持する。
【００４４】
取り付け部４１は、固定壁部４１ａと、固定壁部４１ａの前後方向の両端に接続する一対の傾斜壁部４１ｂと、を有する。
固定壁部４１ａは、鉛直方向に垂直な向き（水平方向）に広がる。固定壁部４１ａは、枝管２２の外周面の上端部にネジ止め等により固定される。
【００４５】
傾斜壁部４１ｂは、枝管２２の吸入孔２２ｈとの間に隙間をあけて、吸入孔２２ｈに対向配置される。傾斜壁部４１ｂは、固定壁部４１ａとの接続部分から前後方向の外側へ向かうにしたがい、下側に向けて傾斜して延びる。傾斜壁部４１ｂは、吸入孔２２ｈとの間に例えば５〜１５ｍｍ程度の距離をあけて配置される。この距離は、好ましくは８〜１２ｍｍである。図３に示すように、枝管２２の中心軸Ｃ方向から見て（または中心軸Ｃに垂直な断面視で）、傾斜壁部４１ｂと吸入孔２２ｈとの間の距離は、吸入孔２２ｈの孔幅（開口幅）よりも小さい。ただしこれに限らず、傾斜壁部４１ｂと吸入孔２２ｈとの間の距離は、吸入孔２２ｈの孔幅よりも大きくてもよく、または同一でもよい。
【００４６】
吸引ノズル４２は、水平方向に延びる筒状である。本実施形態の例では、吸引ノズル４２が、前後方向に延びる角筒状である。吸引ノズル４２は、扁平な角管形状である。吸引ノズル４２の前後方向に垂直な断面の形状は、長方形状である。吸引ノズル４２の前後方向に垂直な断面の形状は、幅方向の長さが上下方向の長さよりも大きい四角形状である。
【００４７】
吸引ノズル４２は、液面ＬＳに沿って配置される。吸引ノズル４２のうち下端部は、液面ＬＳの下側に位置し、下端部以外の部位（下端部よりも上側に位置する部位）は、液面ＬＳの上側に位置する。つまりノズル部１４は、液面ＬＳの下側に位置する部分と、液面ＬＳの上側に位置する部分と、を有する。吸引ノズル４２の先端部（前後方向の外側の端部）は、液面ＬＳに開口する。吸引ノズル４２は、吸引ノズル４２の先端部に開口部を有する。吸引ノズル４２の開口部のうち下端部は、液面ＬＳ下に浸され、下端部以外の部位は、液面ＬＳ上に露出する。液面ＬＳの浮上油Ｆおよび水等の液体は、開口部を通して吸引ノズル４２内に進入可能である。
【００４８】
吸引ノズル４２は、吸引ノズル４２の内部を通して、浮上油Ｆを枝管２２に向けて送る。浮上油Ｆは、吸引ノズル４２の内部空間を通って、枝管２２の周壁に設けられた吸入孔２２ｈに吸い込まれる。吸引ノズル４２の内部空間は、高さ方向の寸法が、幅方向の寸法および前後方向の寸法よりも小さい扁平状である。吸引ノズル４２の内部空間の高さは、吸引ノズル４２の先端側（前後方向の外側）の端部に位置する開口部から、枝管２２側（前後方向の内側）に向かうにしたがい小さくなる。吸引ノズル４２の前後方向に垂直な断面の開口面積は、吸引ノズル４２の先端部（開口部）から枝管２２側に向かうにしたがい小さくなる。
【００４９】
吸引ノズル４２は、天壁４３と、側壁４４と、底壁４５と、を有する。つまり、ノズル部１４は、天壁４３、側壁４４および底壁４５を有する。
天壁４３は、取り付け部４１の前後方向の外側の端部に接続し、この端部から前後方向に延びる略平板形状の部位である。天壁４３は、略水平方向に広がる。天壁４３の先端側（前後方向の外側）の端部は、先端側へ向かうにしたがい僅かに上側に向けて傾斜して延びる。天壁４３は、液面ＬＳよりも上方に配置される。天壁４３の下面は、液面ＬＳとの間に間隔をあけて、液面ＬＳに上側から対向する。天壁４３の下面と液面ＬＳとの間の上下方向の距離は、例えば１０〜３０ｍｍである。この距離は、好ましくは１５〜２５ｍｍである。
【００５０】
側壁４４は、天壁４３の幅方向の両端部に接続して、一対設けられる。側壁４４は、幅方向に垂直な向きに広がる平板形状である。側壁４４は、天壁４３の幅方向の両端部から下側に向けて延びる。側壁４４の下端部は、排液Ｄに浸される。
【００５１】
底壁４５は、一対の側壁４４同士の間に架け渡される平板形状の部位である。底壁４５の幅方向の両端部は、一対の側壁４４と接続する。底壁４５は、一対の側壁４４と固定される。底壁４５の前後方向の内側の端部は、枝管２２の周壁と接続する（接触する）。なお、底壁４５の前後方向の内側の端部は、枝管２２の周壁との間に僅かに隙間をあけて配置されてもよい。底壁４５の前後方向の内側の端部は、枝管２２の吸入孔２２ｈの下側に位置し、吸入孔２２ｈに接近して配置される。つまり、底壁４５の前後方向の内側の端部は、吸入孔２２ｈの直下に位置して、吸入孔２２ｈに隣接配置される。
【００５２】
底壁４５は、枝管２２から前後方向に離れるにしたがい（つまり前後方向の外側に向かうにしたがい）、下側へ向けて傾斜して延びる。底壁４５のうち、前後方向の内側（基端側）の端部は、液面ＬＳよりも上側に位置する。底壁４５のうち、前後方向の外側（先端側）の端部は、液面ＬＳよりも下側に位置する。本実施形態の例では、底壁４５の先端側の端部が、吸引ノズル４２の先端側の端部に位置しており、吸引ノズル４２の開口部の一部（下端部）を構成する。
すなわち、ノズル部１４は底壁４５を有し、底壁４５は、吸引管部１２から水平方向（本実施形態では前後方向）に離れるにしたがい下側へ向けて傾斜して延び、液面ＬＳに挿入される。このように、底壁４５が液面ＬＳに対して斜めに挿入されるため、液面ＬＳに浮かぶ浮上油Ｆは、底壁４５に乗り上げた状態となる。
【００５３】
液面ＬＳに対して底壁４５が傾斜する角度（水平方向に対する底壁４５の傾斜角）θ２は、例えば１０〜２５°である。角度θ２は、好ましくは、１５〜２０°である。
底壁４５と天壁４３との間の上下方向の距離は、吸引ノズル４２の前後方向の外側の端部に位置する開口部から、前後方向の内側に向かうにしたがい徐々に小さくなる。
【００５４】
図２において、吸引源１７および浮上油回収槽１９は、排液Ｄが溜められる分離槽の外部に設置される。吸引源１７は、チューブ１８を介して吸引管部１２と繋がる。吸引源１７は、吸引管部１２およびチューブ１８を通して、ノズル部１４から液面ＬＳの浮上油Ｆを吸引する。ノズル部１４から吸引された浮上油Ｆは、吸引管部１２およびチューブ１８を通して、浮上油回収槽１９に回収される。
【００５５】
具体的に、この浮上油回収装置１０では、吸引ポンプ等の吸引源１７を作動させると、吸引源１７と接続されたノズル部１４において、吸引ノズル４２の内部空間が負圧となり、吸引ノズル４２の開口部から液面ＬＳ近傍の排液Ｄ（主に浮上油Ｆであり、以下同様）および外気が吸い込まれる。
浮上油回収装置１０は、吸引ノズル４２に排液Ｄおよび外気を吸い込んで、枝管２２（吸引管部１２）内に導入する。すなわち、排液Ｄは、吸引源１７の流体吸引力（エア吸引力）によって、吸引ノズル４２内で底壁４５の傾斜に沿って斜め上側へと移動し、吸入孔２２ｈを通して枝管２２内に引き込まれる。
【００５６】
以上説明した本実施形態の浮上油回収装置１０によれば、ノズル部１４の底壁４５が、吸引管部１２から水平方向に離れるにしたがい下側へ向けて傾斜して延び、液面ＬＳに対して斜めに挿入される。このため、底壁４５に乗り上げた浮上油Ｆおよび水等の液体を、底壁４５の傾斜に沿って斜め上側へ向けて吸引するときに、底壁４５上の水等の液体については、底壁４５の傾斜によって液面ＬＳに戻されやすくなる。また、底壁４５上の浮上油Ｆについては、底壁４５の傾斜に沿って斜め上側へ引き上げやすくなる。これにより、水等の液体の回収量（割合）を減らして、浮上油Ｆの回収効率を高めることができる。
【００５７】
具体的に、浮上油Ｆは、水等の液体よりも比重が小さく、液体よりも上側に位置するため、底壁４５上に乗り上げやすい。また浮上油Ｆは、底壁４５上に乗り上げたときに、重力によっては斜め下側へと流されにくい（液体よりは底壁４５上にとどまりやすい）。そして浮上油Ｆは、吸引源１７の流体吸引力により、底壁４５上を斜め上側へと引き上げられやすい。したがって、浮上油Ｆは、枝管２２に吸入される量（回収量）が増大する。
一方、水等の液体は、浮上油Ｆよりも比重が大きく、浮上油Ｆよりも下側に位置するため、底壁４５上に乗り上げにくい。また液体は、底壁４５上に乗り上げても、重力によって斜め下側へと流されやすい（底壁４５上にとどまりにくい）。そして液体は、吸引源１７の流体吸引力によっては、底壁４５上を斜め上側へと引き上げられにくい。したがって、液体は、枝管２２に吸入される量（回収量）が減少する。
以上より本実施形態によれば、従来と比較して、浮上油Ｆの回収効率を高められる。
【００５８】
また本実施形態では、角度θ１が３５〜７０°であるので、下記の作用効果が得られる。
角度θ１が３５°以上であるので、底壁４５の前後方向の内側の端部（基端部）と、吸入孔２２ｈと、の間の距離を小さくできる。このため、底壁４５上の浮上油Ｆに対して、吸入孔２２ｈから強い流体吸引力を作用させることができる。
角度θ１が７０°以下であるので、吸入孔２２ｈが液面ＬＳに近づき過ぎることを抑制できる。このため、吸入孔２２ｈから枝管２２内に、底壁４５上を通らずに水等の液体が直接吸引されるようなことが抑制される。
なお、上記作用効果をより顕著なものとするには、好ましくは、角度θ１が４５〜６０°である。
【００５９】
また本実施形態では、角度θ２が１０〜２５°であるので、下記の作用効果が得られる。
角度θ２が１０°以上であるので、底壁４５上から水等の液体が斜め下側へ流れやすい。すなわち、底壁４５上から液体を液面ＬＳに戻す作用が安定して得られる。
角度θ２が２５°以下であるので、吸引源１７の流体吸引力によって、底壁４５上から浮上油Ｆを斜め上側へ引き上げやすい。すなわち、底壁４５上から浮上油Ｆを吸引回収する作用が安定して得られる。
なお、上記作用効果をより顕著なものとするには、好ましくは、角度θ２が１５〜２０°である。
【００６０】
また本実施形態では、フロート部１３のフロート支持部３２が、吸引管部１２の上下方向に延びる部分（本管２１）に、上下方向の位置を調整可能に固定されている。
これにより、フロート部１３と吸引管部１２との上下方向の相対位置を調整でき、液面ＬＳに対するノズル部１４の上下方向の位置を調整可能である。したがって、ノズル部１４の底壁４５の液面ＬＳに対する上下方向の位置を良好に維持でき、ノズル部１４から水等の液体を吸い込みにくくするとともに浮上油Ｆを吸い込みやすくして、浮上油Ｆの回収効率を安定して向上できる。
【００６１】
次に、上述した第１実施形態の浮上油回収装置１０の変形例（第１〜第３変形例）について、説明する。
【００６２】
＜第１変形例＞
図４は、浮上油回収装置１０のノズル部１４（吸引ノズル４２）の第１変形例を示す側面図である。
この第１変形例では、吸引ノズル４２が、天壁４３、側壁４４、底壁４５に加えて、底壁４６を有する。つまり、ノズル部１４は、複数の底壁４５，４６を有する。複数の底壁４５，４６同士は、吸引管部１２から水平方向に離れる向き（本変形例では前後方向）に互いに隙間をあけて、隣り合って配置される。
【００６３】
図示の例では、吸引ノズル４２が、２つの底壁４５，４６を有する。
２つの底壁４５，４６のうち、枝管２２の周壁と接続する（接触する）底壁４５は、第１の底壁４５である。第１の底壁４５の前後方向の外側（先端側）の端部は、吸引ノズル４２の前後方向の外側の端部よりも、前後方向の内側（基端側）に配置される。第１の底壁４５の上記以外の構成については、前述した第１実施形態の底壁４５と同様である。
【００６４】
２つの底壁４５，４６のうち、第１の底壁４５よりも前後方向の外側に位置する底壁４６は、第２の底壁４６である。第２の底壁４６は、一対の側壁４４同士の間に架け渡される平板形状の部位である。第２の底壁４６の幅方向の両端部は、一対の側壁４４と接続する。第２の底壁４６の前後方向の内側の端部は、枝管２２の周壁から前後方向の外側に離れて配置される。第２の底壁４６の前後方向の内側の端部は、第１の底壁４５の前後方向の外側の端部よりも上側に位置する。上下方向から見て、第２の底壁４６の前後方向の内側の端部と、第１の底壁４５の前後方向の外側の端部とは、互いに重なって配置される。
【００６５】
第２の底壁４６は、前後方向の外側に向かうにしたがい（吸引管部１２から水平方向に離れるにしたがい）、下側へ向けて傾斜して延び、液面ＬＳに挿入される。第２の底壁４６のうち、前後方向の内側の端部は、液面ＬＳよりも上側に位置する。第２の底壁４６のうち、前後方向の外側の端部は、液面ＬＳよりも下側に位置する。本変形例では、第２の底壁４６の前後方向の外側（先端側）の端部が、吸引ノズル４２の前後方向の外側の端部に位置する。
【００６６】
第２の底壁４６と天壁４３との間の上下方向の距離は、吸引ノズル４２の前後方向の外側の端部から、前後方向の内側に向かうにしたがい徐々に小さくなる。第２の底壁４６が液面ＬＳに対して斜めに挿入されるため、液面ＬＳに浮かぶ浮上油Ｆは、第２の底壁４６に乗り上げた状態となる。
【００６７】
液面ＬＳに対して第２の底壁４６が傾斜する角度（水平方向に対する第２の底壁４６の傾斜角）θ３は、例えば１０〜２５°である。角度θ３は、好ましくは、１５〜２０°である。図示の例では、中心軸Ｃ方向から見て、各吸引ノズル４２の２つの底壁４５，４６同士が、互いに平行に延びており、角度θ２と角度θ３とが、互いに同一である。
【００６８】
以上説明した第１変形例によれば、前述の第１実施形態と同様の作用効果が得られる。また、ノズル部１４が複数の底壁４５，４６を有するので、底壁４５，４６上において浮上油Ｆと液体との分離をより促して、浮上油Ｆの回収効率を向上させることができる。すなわち、浮上油Ｆおよび液体が、複数の底壁４５，４６を乗り越えつつ枝管２２（吸引管部１２）へ向けて吸引されるときに、複数の底壁４５，４６同士の間において、液体が液面ＬＳに戻される。つまり、浮上油Ｆは、複数の底壁４５，４６を乗り越えて枝管２２に吸引されるが、液体は、複数の底壁４５，４６を乗り越える際に、底壁４５，４６同士の間において液面ＬＳに戻されやすくなる。したがって、浮上油Ｆの回収効率がより高められる。
【００６９】
詳しくは、吸引ノズル４２に吸引された排液Ｄは、枝管２２に到達するまでの間に２つの斜面（底壁４５，４６）を乗り越えさせられる。このとき、比重が小さい浮上油Ｆについては、枝管２２に到達しやすいが、比重が大きい液体については、２つの斜面（底壁４５，４６）を乗り越えることができずに液面ＬＳに戻されやすくなる。つまり、液体は、枝管２２に導入されにくくなり、回収量が減少する。
このため、浮上油Ｆと液体の分離がより促されて、浮上油Ｆの回収効率が高められる。
【００７０】
また、角度θ３が１０〜２５°であるので、下記の作用効果が得られる。
角度θ３が１０°以上であるので、第２の底壁４６上から水等の液体が斜め下側へ流れやすい。すなわち、第２の底壁４６上から液体を液面ＬＳに戻す作用が安定して得られる。
角度θ３が２５°以下であるので、吸引源１７の流体吸引力によって、第２の底壁４６上から浮上油Ｆを斜め上側へ引き上げやすい。すなわち、第２の底壁４６上から浮上油Ｆを吸引回収する作用が安定して得られる。
なお、上記作用効果をより顕著なものとするには、好ましくは、角度θ３が１５〜２０°である。
【００７１】
＜第２変形例＞
図５は、浮上油回収装置１０のノズル部１４（吸引ノズル４２）の第２変形例を示す側面図である。
この第２変形例では、吸引ノズル４２が、天壁４３、側壁４４、底壁４５に加えて、底壁部材４７を有する。底壁部材４７は、底壁４８と、一対の耳部４９と、を有する。つまり、吸引ノズル４２（ノズル部１４）は、複数の底壁４５，４８を有する。複数の底壁４５，４８同士は、吸引管部１２から水平方向に離れる向き（本変形例では前後方向）に互いに隙間をあけて、隣り合って配置される。
【００７２】
図示の例では、吸引ノズル４２が、２つの底壁４５，４８を有する。
２つの底壁４５，４８のうち、枝管２２の周壁と接続する（接触する）底壁（第１の底壁）４５は、前述した第１実施形態の底壁４５と同様の構成を有する。
２つの底壁４５，４８のうち、底壁４５よりも前後方向の外側に配置される底壁（第２の底壁）４８は、底壁部材４７の一部を構成する。
【００７３】
底壁部材４７は、板状の部材であり、第１の底壁４５上に配置される。底壁部材４７は、液面ＬＳに対して底壁４５，４８が傾斜する方向に移動可能に、ノズル部１４に支持される。具体的に、底壁部材４７は、吸引ノズル４２の天壁４３、側壁４４および底壁４５に対して、中心軸Ｃ方向から見て底壁４５，４８が傾斜する方向（底壁４５，４８が延びる方向）に沿って、スライド移動可能である。このため、底壁部材４７の底壁４８も、液面ＬＳに対して底壁４５，４８が傾斜する方向に移動可能に、ノズル部１４に支持される。すなわち、底壁４８は、吸引ノズル４２の天壁４３、側壁４４および底壁４５に対して、中心軸Ｃ方向から見て底壁４５，４８が傾斜する方向に沿って、スライド移動可能である。
【００７４】
底壁部材４７が有する底壁（第２の底壁）４８は、平板状であり、第１の底壁４５と略平行に広がる。第２の底壁４８は、第１の底壁４５と隙間をあけて対向する。第２の底壁４８は、第１の底壁４５に、上側および前後方向の外側から対向する。
【００７５】
第２の底壁４８の前後方向の内側の端部は、枝管２２の周壁から前後方向の外側に離れて配置される。第２の底壁４８の前後方向の内側の端部は、第１の底壁４５の前後方向の外側の端部よりも上側に位置する。図示の例では、第２の底壁４８の前後方向の内側の端部が、第１の底壁４５の前後方向の外側の端部よりも、前後方向の内側に位置する。上下方向から見て、第２の底壁４８の前後方向に沿う内側部分と、第１の底壁４５の前後方向に沿う外側部分とは、互いに重なって配置される。
【００７６】
第２の底壁４８は、前後方向の外側に向かうにしたがい（吸引管部１２から水平方向に離れるにしたがい）、下側へ向けて傾斜して延び、液面ＬＳに挿入される。第２の底壁４８のうち、前後方向の内側の端部は、液面ＬＳよりも上側に位置する。第２の底壁４８のうち、前後方向の外側の端部は、液面ＬＳよりも下側に位置する。本変形例では、第２の底壁４８の前後方向の外側（先端側）の端部が、吸引ノズル４２（の天壁４３、側壁４４および底壁４５）の前後方向の外側の端部よりも、前後方向の外側に突出して配置される。
【００７７】
第２の底壁４８と天壁４３との間の上下方向の距離は、前後方向の内側に向かうにしたがい小さくなる。第２の底壁４８が液面ＬＳに対して斜めに挿入されるため、液面ＬＳに浮かぶ浮上油Ｆは、第２の底壁４８に乗り上げた状態となる。
【００７８】
液面ＬＳに対して第２の底壁４８が傾斜する角度（水平方向に対する第２の底壁４８の傾斜角）θ４は、例えば１０〜２５°である。角度θ４は、好ましくは、１５〜２０°である。図示の例では、中心軸Ｃ方向から見て、各吸引ノズル４２の２つの底壁４５，４８同士が、互いに平行に延びており、角度θ２と角度θ４とが、互いに同一である。
【００７９】
底壁部材４７が有する一対の耳部４９は、第２の底壁４８の幅方向の両端部に接続する。耳部４９は、幅方向に垂直な向きに広がる平板形状である。耳部４９は、第２の底壁４８の幅方向の両端部から下側に向けて延びる。耳部４９の下端は、第１の底壁４５の上面と接触する。耳部４９は、液面ＬＳに対して底壁４５，４８が傾斜する方向に沿って延びる。
【００８０】
耳部４９は、液面ＬＳに対して底壁４５，４８が傾斜する方向に沿って配列する複数の位置調整孔４９ａを有する。位置調整孔４９ａは、耳部４９を幅方向（板厚方向）に貫通する。位置調整孔４９ａは、位置調整孔４９ａの内周面に雌ネジ部を有する。複数の位置調整孔４９ａのうち、所定の（１つの）位置調整孔４９ａには、側壁４４の貫通孔４４ａに通される図示しないネジ部材が螺着する。これにより底壁部材４７は、吸引ノズル４２と固定される。
【００８１】
以上説明した第２変形例によれば、前述の第１実施形態と同様の作用効果が得られる。また、例えば液面ＬＳに浮かぶ浮上油Ｆの状態や量などに応じて、底壁部材４７とともに底壁４８を、底壁４５，４８が傾斜する方向に移動させることにより、液面ＬＳに対する第２の底壁４８の（上下方向の）位置を調整できる。これにより、浮上油Ｆの回収効率を向上させることができる。
また、角度θ４が１０〜２５°であるので、上述した角度θ３と同様の作用効果が得られる。なお、この作用効果をより顕著なものとするには、好ましくは、角度θ４が１５〜２０°である。
【００８２】
＜第３変形例＞
図６は、浮上油回収装置１０のノズル部１４（吸引ノズル４２）の第３変形例を示す側面図である。図７（ａ）〜（ｃ）は、図６の底壁５０のスライド壁部５２を示す。
この第３変形例では、吸引ノズル４２が、天壁４３と、側壁４４と、底壁５０と、を有する。底壁５０は、枝管２２（吸引管部１２）から水平方向（本変形例では前後方向）に離れるにしたがい下側へ向けて傾斜して延び、液面ＬＳに挿入される。底壁５０は、支持壁部５１と、スライド壁部５２と、を有する。
【００８３】
支持壁部５１は、一対の側壁４４同士の間に架け渡される平板形状の部位である。支持壁部５１の幅方向の両端部は、一対の側壁４４と接続する。支持壁部５１は、一対の側壁４４と固定される。支持壁部５１の前後方向の内側の端部は、枝管２２の周壁と接続する（接触する）。なお、支持壁部５１の前後方向の内側の端部は、枝管２２の周壁との間に僅かに隙間をあけて配置されてもよい。支持壁部５１の前後方向の内側の端部は、枝管２２の吸入孔２２ｈの下側に位置し、吸入孔２２ｈに接近して配置される。つまり、支持壁部５１の前後方向の内側の端部は、吸入孔２２ｈの直下に位置して、吸入孔２２ｈに隣接配置される。
【００８４】
支持壁部５１は、枝管２２から前後方向に離れるにしたがい（つまり前後方向の外側に向かうにしたがい）、下側へ向けて傾斜して延びる。支持壁部５１のうち、前後方向の内側（基端側）の端部は、液面ＬＳよりも上側に位置する。支持壁部５１のうち、前後方向の外側（先端側）の端部は、液面ＬＳよりも下側に位置する。
すなわち、支持壁部５１は、吸引管部１２から水平方向（本変形例では前後方向）に離れるにしたがい下側へ向けて傾斜して延び、液面ＬＳに挿入される。
【００８５】
スライド壁部５２は、板状である。本変形例では、スライド壁部５２が、四角形板状である。スライド壁部５２の板面（上面５２ａおよび下面５２ｂ）は、上下方向を向く。スライド壁部５２は、支持壁部５１上に配置される。スライド壁部５２の下面５２ｂは、支持壁部５１の上面と接触する。スライド壁部５２は、支持壁部５１の上面に載せられ、支持壁部５１に対してスライド移動可能である。スライド壁部５２は、支持壁部５１上において、液面ＬＳに対して底壁５０（支持壁部５１）が傾斜する方向に移動可能に、吸引ノズル４２に支持される。すなわち、底壁５０は、液面ＬＳに対して底壁５０が傾斜する方向に移動可能に、ノズル部１４に支持される。
【００８６】
スライド壁部５２の上面５２ａは、スライド壁部５２の下面５２ｂと平行な部分と、下面５２ｂに対して傾斜する部分と、を有する。
スライド壁部５２の上面５２ａのうち、下面５２ｂと平行な部分は、スライド壁部５２の前後方向の内側部分に位置する。このため、スライド壁部５２の前後方向の内側部分は、前後方向に沿って板厚が一定である。
スライド壁部５２の上面５２ａのうち、下面５２ｂに対して傾斜する部分は、スライド壁部５２の前後方向の外側部分に位置する。上面５２ａのうち、下面５２ｂに対して傾斜する部分は、前後方向の外側へ向かうにしたがい、下面５２ｂとの間の距離が小さくなる。このため、スライド壁部５２の前後方向の外側部分は、前後方向の外側へ向かうにしたがい板厚が小さくなる。
【００８７】
スライド壁部５２は、スライド壁部５２の上面５２ａに、液体戻し溝５３を有する。すなわち、底壁５０は、底壁５０の上面５２ａに液体戻し溝５３を有する。液体戻し溝５３は、上面５２ａにおいて下側に窪み、前後方向に延びる。詳しくは、液体戻し溝５３は、上面５２ａにおいて、液面ＬＳに対して底壁５０が傾斜する方向に沿って延びる。液体戻し溝５３は、上面５２ａにおいて幅方向に互いに間隔をあけて複数配置される。
【００８８】
図示の例では、液体戻し溝５３は、スライド壁部５２の前後方向の内側を向く端面および外側を向く端面には開口しない。液体戻し溝５３は、スライド壁部５２の前後方向の内側の端部と外側の端部との間に位置する中間部分に配置される。なお、液体戻し溝５３は、スライド壁部５２の前後方向の内側を向く端面および外側を向く端面の少なくともいずれかに開口してもよい。
【００８９】
スライド壁部５２の上面５２ａのうち、下面５２ｂと平行な部分では、液体戻し溝５３の溝深さが、前後方向に沿って一定である。スライド壁部５２の上面５２ａのうち、下面５２ｂに対して傾斜する部分では、液体戻し溝５３の溝深さが、前後方向の外側へ向かうにしたがい浅くなる。
【００９０】
スライド壁部５２の側面５２ｃは、幅方向を向く。側面５２ｃは、スライド壁部５２に一対設けられる。一対の側面５２ｃは、スライド壁部５２において幅方向の両側を向く。側面５２ｃは、吸引ノズル４２の側壁４４と対向する。側面５２ｃは、側壁４４と接触する。
【００９１】
スライド壁部５２は、側面５２ｃにネジ穴５２ｄを有する。ネジ穴５２ｄは、側面５２ｃに開口して幅方向に窪む。ネジ穴５２ｄは、側面５２ｃに複数設けられる。複数のネジ穴５２ｄは、側面５２ｃにおいて下面５２ｂと平行に配列する。複数のネジ穴５２ｄは、側面５２ｃにおいて、液面ＬＳに対して底壁５０が傾斜する方向に沿って配列する。ネジ穴５２ｄは、ネジ穴５２ｄの内周面に雌ネジ部を有する。複数のネジ穴５２ｄのうち、所定の（１つの）ネジ穴５２ｄには、側壁４４の貫通孔４４ａに通される図示しないネジ部材が螺着する。これによりスライド壁部５２は、吸引ノズル４２と固定される。
【００９２】
以上説明した第３変形例によれば、前述の第１実施形態と同様の作用効果が得られる。また、例えば液面ＬＳに浮かぶ浮上油Ｆの状態や量などに応じて、底壁５０（スライド壁部５２）を、底壁５０（スライド壁部５２および支持壁部５１）が傾斜する方向に移動させることにより、液面ＬＳに対する底壁５０（スライド壁部５２）の（上下方向の）位置を調整できる。これにより、浮上油Ｆの回収効率を向上させることができる。
また、スライド壁部５２上に乗り上げた浮上油Ｆおよび液体のうち、液体が液体戻し溝５３に流れ込み、液体戻し溝５３を通して液面ＬＳに戻される。したがって、浮上油Ｆの回収効率をより高められる。
【００９３】
＜第２実施形態＞
本発明の第２実施形態の浮上油回収装置２０について、図面を参照して説明する。
なお、第２実施形態では、第１実施形態における構成要素と同一の部分については同一の符号を付してその説明を省略し、主として異なる点について説明する。
【００９４】
図８〜図１０に示すように、浮上油回収装置２０は、吸引管部７２と、フロート部１３と、ノズル部７４と、を備える。また、浮上油回収装置２０は、チューブ１８と、吸引源１７と、浮上油回収槽１９と、を備える。
吸引管部７２は、浮上油Ｆを吸い込むノズル部７４と接続される。吸引管部７２は、ノズル部７４と、吸引源１７との間に設けられる。吸引管部７２は、浮上油Ｆを吸引する吸引管の流路（管路）の一部を構成する。吸引管部７２は、吸引管（全体）のうち液面ＬＳ近傍に位置する部分である。フロート部１３は、吸引管部７２およびノズル部７４を支持する。ノズル部７４は、液面ＬＳに配置される。フロート部１３は、排液Ｄの水位（の変動）に合わせて上下動し、ノズル部７４および吸引管部７２を液面ＬＳ近傍に配置する。
【００９５】
吸引管部７２は、上下方向に延びる。吸引管部７２は、分離槽の上方から液面ＬＳに向けて延びる部分（本管８１）を有する。本実施形態の例では、吸引管部７２が、断面円形状の管（円管、丸パイプ）である。吸引管部７２は、例えば、超高分子量ポリエチレン（ＵＨＭＷＰＥ）等の合成樹脂製である。吸引管部７２の上端部には、チューブ１８が繋げられる。吸引管部７２は、チューブ１８を介して、吸引源１７および浮上油回収槽１９と繋がる（図２参照）。
【００９６】
吸引管部７２は、本管８１を有する。
本管８１は、上下方向に延びる。つまり本管８１は、吸引管部７２において上下方向に延びる部分である。本管８１の下端は、液面ＬＳよりも下側に位置する。本管８１の下端部は、液面ＬＳ近傍に配置される。本管８１の下端部以外の部位（下端部よりも上側に位置する部位）は、液面ＬＳの上側に配置される。
以下の説明では、吸引管部７２（の本管８１）の軸線（中心軸）Ｏに直交する方向を、径方向と呼ぶ。径方向のうち、軸線Ｏに接近する方向を径方向の内側と呼び、軸線Ｏから離れる方向を径方向の外側と呼ぶ。また、軸線Ｏ回りに周回する方向を、周方向と呼ぶ。
【００９７】
本管８１は、本管８１の周壁に吸入孔８１ｈを有する。吸入孔８１ｈは、本管８１の周壁を貫通する貫通孔であり、本実施形態の例では長円孔状である。吸入孔８１ｈは、本管８１の下端部に配置され、上下方向に延びる。吸入孔８１ｈは、本管８１の周壁の下端部に、周方向に互いに間隔をあけて複数（本実施形態の例では４つ）設けられる。複数の吸入孔８１ｈは、本管８１の外周面に、周方向に等間隔で開口する。
【００９８】
ノズル部７４は、吸引管部７２の下端部に１つ設けられる。ノズル部７４は、吸引管部７２の軸線Ｏを中心とする略円盤状である。本実施形態では、ノズル部７４が、例えば、超高分子量ポリエチレン（ＵＨＭＷＰＥ）等の合成樹脂製である。
【００９９】
ノズル部７４は、フロート部１３により排液Ｄの液面ＬＳに浮かべられ（配置され）、浮上油Ｆを吸い込む。本実施形態のノズル部７４は、ノズル部７４の外周に、軸線Ｏ回りの全周にわたって開口する環状の開口部を有する。ノズル部７４の開口部は、ノズル部７４の外周面において径方向に開口する。ノズル部７４の開口部のうち下端部は、液面ＬＳ下に浸され、下端部以外の部位は、液面ＬＳ上に露出する。つまりノズル部７４は、液面ＬＳの下側に位置する部分と、液面ＬＳの上側に位置する部分と、を有する。液面ＬＳの浮上油Ｆおよび水等の液体は、開口部を通してノズル部７４内に進入可能である。
【０１００】
ノズル部７４は、天壁部材７５と、底壁部材７６と、を有する。
天壁部材７５は、軸線Ｏを中心とする略円形リング板状である。天壁部材７５は、液面ＬＳよりも上側に配置される。天壁部材７５は、天壁部材７５を上下方向に貫通する貫通孔を有する。貫通孔には、本管８１が挿入される。天壁部材７５は、本管８１の周壁と固定される。
【０１０１】
天壁部材７５の下面は、軸線Ｏに垂直な平面状である。天壁部材７５の下面は、液面ＬＳと隙間をあけて対向する。天壁部材７５の下面と液面ＬＳとの間の上下方向の距離は、例えば１０〜２５ｍｍである。この距離は、好ましくは１５〜２０ｍｍである。また、天壁部材７５の下面と、底壁部材７６の上端（後述する底壁７７の上端）との間の上下方向の距離は、例えば３〜１２ｍｍである。この距離は、好ましくは６〜９ｍｍである。
図示の例では、天壁部材７５の上面が、径方向外側へ向かうにしたがい下側へ向けて傾斜するテーパ状である。
【０１０２】
底壁部材７６は、軸線Ｏを中心とする略円板状である。底壁部材７６は、本管８１の下端部に固定される。底壁部材７６は、天壁部材７５から下側に離れて（隙間をあけて）配置される。底壁部材７６の上端部は、液面ＬＳの上側に配置され、上端部以外の部位（上端部よりも下側に位置する部位）は、液面ＬＳの下側に配置される。天壁部材７５と底壁部材７６との間の空間が、ノズル部７４の内部空間となる。
【０１０３】
底壁部材７６は、底壁７７と、油保持穴７８と、管固定穴７９と、を有する。
底壁７７は、底壁部材７６の上面に設けられる。底壁７７は、吸引管部７２の軸線Ｏ回りに広がる円錐形状である。底壁７７は、吸引管部７２から水平方向（本実施形態では径方向）に離れるにしたがい下側へ向けて傾斜して延び、液面ＬＳに挿入される。底壁７７のうち、径方向の内側の端部は、液面ＬＳよりも上側に位置する。底壁７７の径方向の内端部は、本管８１の吸入孔８１ｈに接近配置される。底壁７７のうち、径方向の外側の端部は、液面ＬＳよりも下側に位置する。底壁７７の径方向の外端部は、底壁部材７６の外周面の上端部と接続する。
このように、底壁７７が液面ＬＳに対して斜めに挿入されるため、液面ＬＳに浮かぶ浮上油Ｆは、底壁７７に乗り上げた状態となる。
【０１０４】
液面ＬＳに対して底壁７７が傾斜する角度（水平方向に対する底壁７７の傾斜角）θ５は、例えば１０〜２５°である。角度θ５は、好ましくは、１５〜２０°である。
底壁７７と天壁部材７５の下面との間の上下方向の距離は、ノズル部７４の径方向の外側の端部に位置する開口部から、径方向の内側に向かうにしたがい小さくなる。
【０１０５】
底壁７７は、油保持溝８２と、液体戻し溝８３と、を有する。
油保持溝８２は、底壁７７に複数設けられる。油保持溝８２は、底壁７７において下側に窪み、周方向に延びる。油保持溝８２の溝幅は、下側に向かうにしたがい小さくなる。図示の例では、油保持溝８２の断面形状（周方向に垂直な断面の形状）が、Ｖ字状である。油保持溝８２の溝幅は、周方向に沿って一定である。油保持溝８２の溝深さは、周方向に沿って一定である。
【０１０６】
複数の油保持溝８２は、径方向に配列する。径方向に隣り合う油保持溝８２同士は、互いに隣接して配置される。本実施形態の例では、油保持溝８２が、底壁７７のうち、液面ＬＳの上側に位置する部位に配置される。
【０１０７】
液体戻し溝８３は、底壁７７に複数設けられる。液体戻し溝８３は、底壁７７において下側に窪み、径方向に延びる。液体戻し溝８３は、底壁７７の径方向の内端部から外端部にわたって延びる。液体戻し溝８３の溝幅は、上下方向に沿って一定である。液体戻し溝８３の溝幅は、径方向に沿って一定である。液体戻し溝８３の溝幅は、油保持溝８２の溝幅よりも大きい。液体戻し溝８３の溝底は、軸線Ｏに垂直な平面状である。液体戻し溝８３の溝深さは、径方向の外側に向かうにしたがい小さくなる。液体戻し溝８３の溝深さは、油保持溝８２の溝深さよりも大きい。
【０１０８】
複数の液体戻し溝８３は、周方向に互いに間隔をあけて配置される。本実施形態の例では、複数（図示の例では８つ）の液体戻し溝８３が、周方向に等間隔で配列する。液体戻し溝８３は、油保持溝８２を周方向に分断するように配置される。油保持溝８２の周方向の端部は、液体戻し溝８３と繋がる。すなわち、油保持溝８２の内部は、液体戻し溝８３の内部と連通する。液体戻し溝８３のうち上側部分は、液面ＬＳの上側に配置され、下側部分は、液面ＬＳの下側に配置される。
【０１０９】
油保持穴７８は、底壁部材７６の上面から下側に窪む有底穴である。油保持穴７８は、底壁部材７６の上面の中央部に開口する。油保持穴７８は、本管８１の周壁よりも内径が大きい円穴である。油保持穴７８の内周面は、本管８１の外周面の下端部と、径方向に隙間をあけて対向する。油保持穴７８の内周面は、本管８１の吸入孔８１ｈと、径方向に隙間をあけて対向する。油保持穴７８内には、底壁７７上を径方向内側に乗り越えた浮上油Ｆが流れ落ちて、一時的に保持される。油保持穴７８内に流れ落ちた浮上油Ｆは、吸入孔８１ｈを通して本管８１内に吸い込まれる。
【０１１０】
管固定穴７９は、油保持穴７８の底面から下側に窪む有底穴である。管固定穴７９は、油保持穴７８の底面の中央部に開口する。管固定穴７９は、円穴である。管固定穴７９の内径は、油保持穴７８の内径よりも小さい。管固定穴７９には、本管８１の下端部が挿入され、固定される。管固定穴７９は、本管８１の下端開口を塞ぐキャップとしても機能する。
【０１１１】
この浮上油回収装置２０では、吸引源１７を作動させると、吸引源１７と接続されたノズル部７４の内部空間が負圧となり、ノズル部７４の開口部から液面ＬＳ近傍の排液Ｄ（主に浮上油Ｆであり、以下同様）および外気が吸い込まれる。
浮上油回収装置２０は、ノズル部７４に排液Ｄおよび外気を吸い込んで、本管８１（吸引管部７２）内に導入する。すなわち、排液Ｄは、吸引源１７の流体吸引力（エア吸引力）によって、ノズル部７４内で底壁７７の傾斜に沿って斜め上側へと移動し、吸入孔８１ｈを通して本管８１内に引き込まれる。
【０１１２】
以上説明した本実施形態の浮上油回収装置２０によれば、前述の第１実施形態と同様の作用効果が得られる。
また、底壁７７が吸引管部７２の軸線Ｏ回りに広がる円錐形状であるので、ノズル部７４は、水平方向の全方位から（軸線Ｏ回りの全周にわたって）浮上油Ｆを回収する。したがって、浮上油Ｆの回収効率が安定して高められる。
【０１１３】
また本実施形態では、底壁７７が、周方向に延びる油保持溝８２を複数有し、複数の油保持溝８２は径方向に配列するので、下記の作用効果が得られる。
この場合、底壁７７上に乗り上げた浮上油Ｆが、複数の油保持溝８２に保持されて、底壁７７上にとどまりやすくなる。また、油保持溝８２の溝底には、浮上油Ｆよりも比重の大きい水等の液体が溜まる。この液体については、油保持溝８２の周方向の端部に繋がる液体戻し溝８３を通して、液面ＬＳに戻すことができる。したがって、浮上油Ｆの回収効率がより向上する。
【０１１４】
また本実施形態では、底壁７７が径方向に延びる液体戻し溝８３を有するので、下記の作用効果が得られる。
この場合、底壁７７上に乗り上げた浮上油Ｆおよび液体のうち、液体が液体戻し溝８３に流れ込み、液体戻し溝８３を通して液面ＬＳに戻される。したがって、浮上油Ｆの回収効率をより高めることができる。
【０１１５】
また本実施形態では、角度θ５が１０〜２５°であるので、下記の作用効果が得られる。
角度θ５が１０°以上であるので、底壁７７上から水等の液体が斜め下側へ流れやすい。すなわち、底壁７７上から液体を液面ＬＳに戻す作用が安定して得られる。
角度θ５が２５°以下であるので、吸引源１７の流体吸引力によって、底壁７７上から浮上油Ｆを斜め上側へ引き上げやすい。すなわち、底壁７７上から浮上油Ｆを吸引回収する作用が安定して得られる。
なお、上記作用効果をより顕著なものとするには、好ましくは、角度θ５が１５〜２０°である。
【０１１６】
なお、本発明は前述の実施形態に限定されず、例えば下記に説明するように、本発明の趣旨を逸脱しない範囲において構成の変更等が可能である。
【０１１７】
前述の実施形態では、ノズル部の縦断面視で、底壁が直線状に延びる例を挙げたが、これに限らない。ノズル部の縦断面視において、底壁は、例えば曲線状に延びていてもよい。ノズル部の底壁は、平面状に限らず、曲面状であってもよい。
【０１１８】
底壁の傾斜角である角度θ１〜θ５のいずれかが、底壁の取り付け角度の調整等により、変更可能であってもよい。すなわち、角度θ１〜θ５の各数値範囲において、角度θ１〜θ５がそれぞれ調整可能であってもよい。つまり、液面ＬＳに対する底壁の傾きが変更可能でもよい。
【０１１９】
ノズル部は、吸引管部から水平方向に離れるにしたがい下側へ向けて傾斜して延び、液面ＬＳに挿入される底壁を有していればよく、ノズル部の形状や構造等は、前述の実施形態で挙げた例に限らない。
【０１２０】
その他、本発明の趣旨から逸脱しない範囲において、前述の実施形態、変形例およびなお書き等で説明した各構成（構成要素）を組み合わせてもよく、また、構成の付加、省略、置換、その他の変更が可能である。また本発明は、前述した実施形態によって限定されず、特許請求の範囲によってのみ限定される。
【産業上の利用可能性】
【０１２１】
本発明の浮上油回収装置によれば、浮上油の回収効率を高めることができる。したがって、産業上の利用可能性を有する。
【符号の説明】
【０１２２】
１０，２０…浮上油回収装置、１２，７２…吸引管部、１３…フロート部、１４，７４…ノズル部、１７…吸引源、２１，８１…本管（吸引管部の上下方向に延びる部分）、３１…フロート本体、３２…フロート支持部、４５，４６，４８，５０，７７…底壁、５２ａ…上面、５３，８３…液体戻し溝、８２…油保持溝、Ｆ…浮上油、ＬＳ…液面、Ｏ…軸線
【図１】
2020032348.tif 000003
【図２】
2020032348.tif 000004
【図３】
2020032348.tif 000005
【図４】
2020032348.tif 000006
【図５】
2020032348.tif 000007
【図６】
2020032348.tif 000008
【図７】
2020032348.tif 000009
【図８】
2020032348.tif 000010
【図９】
2020032348.tif 000011
【図１０】
2020032348.tif 000012